【手続補正書】
【提出日】平成19年4月26日(2007.4.26)
【手続補正１】
【補正対象書類名】明細書
【補正対象項目名】特許請求の範囲
【補正方法】変更
【補正の内容】
【特許請求の範囲】
【請求項１】  両面原稿の画情報を読み取り送信するファクシミリ装置において、
原稿の両面の画像を読み取る読取手段と、
前記読取手段により読み取った原稿の両面の画情報を記憶する記憶手段と、
前記読取手段により読み取られた画情報の表面と裏面を対にして管理する管理情報を記憶する管理情報記憶手段と、
前記読取手段により読み取った原稿の両面に有効な画情報が含まれているか否かを判定する判定手段と、
前記判定手段の判定結果に応じて、少なくとも１枚、両面に有効な画情報が含まれている原稿が存在すると判定された場合は両面伝送モードを選択し、それ以外の場合は片面伝送モードを選択する選択手段と、
前記選択手段により両面伝送モードが選択された場合、両面伝送モードを実行することを相手装置へ通知して、記憶手段に記憶された画像情報を前記管理情報とともに両面伝送モードで送信し、前記選択手段により片面伝送モードが選択された場合、片面伝送モードを実行することを相手装置へ通知して、片面伝送モードで画情報を送信する制御手段を有することを特徴とするファクシミリ装置。
【請求項２】  両面に有効な画情報が含まれている原稿が少なくとも１枚存在する場合でも、相手の受信機が両面伝送モードを有していない場合、前記制御手段は、片面伝送を実行することを相手装置へ通知して片面伝送モードを用いて表面、裏面の順で有効な画情報を含む面のみ送信することを特徴とする請求項１に記載のファクシミリ装置。
【請求項３】  原稿表面の画像のみを読み取る強制表面読取モードを指定する操作手段を有し、該操作手段により前記強制表面読取モードが選択されている場合には、前記読取手段は、原稿の裏面を読み取ることなく原稿の表面のみ読み取り、前記制御手段は、片面伝送を実行することを相手装置へ通知して、読み取った画情報を、片面伝送モードを用いて片面伝送することを特徴とする請求項１に記載のファクシミリ装置。
【請求項４】  両面原稿の画情報を読み取り送信するファクシミリ装置の制御方法において、
原稿の両面の画像を読み取る読取工程と、
前記読取工程により読み取った原稿の両面の画情報を記憶する記憶工程と、
前記読取工程により読み取られた画情報の表面と裏面を対にして管理する管理情報を記憶する管理情報記憶工程と、
前記読取工程により読み取った原稿の両面に有効な画情報が含まれているか否かを判定する判定工程と、
前記判定工程の判定結果に応じて、少なくとも１枚、両面に有効な画情報が含まれている原稿が存在すると判定された場合は両面伝送モードを選択し、それ以外の場合は片面伝送モードを選択する選択工程と、
前記選択工程により両面伝送モードが選択された場合、両面伝送モードを実行することを相手装置へ通知して、記憶工程に記憶された画像情報を前記管理情報とともに両面伝送モードで送信し、前記選択工程により片面伝送モードが選択された場合、片面伝送モードを実行することを相手装置へ通知して、片面伝送モードで画情報を送信する制御工程を有することを特徴とするファクシミリ装置の制御方法。
【請求項５】  両面に有効な画情報が含まれている原稿が少なくとも１枚存在する場合でも、相手の受信機が両面伝送モードを有していない場合、前記制御工程は、片面伝送を実行することを相手装置へ通知して片面伝送モードを用いて表面、裏面の順で有効な画情報を含む面のみ送信することを特徴とする請求項４に記載のファクシミリ装置の制御方法。
【請求項６】  原稿表面の画像のみを読み取る強制表面読取モードを指定する操作工程を有し、該操作工程により前記強制表面読取モードが選択されている場合には、前記読取工程は、原稿の裏面を読み取ることなく原稿の表面のみ読み取り、前記制御工程は、片面伝送を実行することを相手装置へ通知して、読み取った画情報を、片面伝送モードを用いて片面伝送することを特徴とする請求項４に記載のファクシミリ装置の制御方法。
【請求項７】  両面原稿の画情報を読み取り送信するファクシミリ装置の制御プログラムを格納したコンピュータ読取可能な記憶媒体において、
原稿の両面の画像を読み取る読取工程と、
前記読取工程により読み取った原稿の両面の画情報を記憶する記憶工程と、
前記読取工程により読み取られた画情報の表面と裏面を対にして管理する管理情報を記憶する管理情報記憶工程と、
前記読取工程により読み取った原稿の両面に有効な画情報が含まれているか否かを判定する判定工程と、
前記判定工程の判定結果に応じて、少なくとも１枚、両面に有効な画情報が含まれている原稿が存在すると判定された場合は両面伝送モードを選択し、それ以外の場合は片面伝送モードを選択する選択工程と、
前記選択工程により両面伝送モードが選択された場合、両面伝送モードを実行することを相手装置へ通知して、記憶工程に記憶された画像情報を前記管理情報とともに両面伝送モードで送信し、前記選択工程により片面伝送モードが選択された場合、片面伝送モードを実行することを相手装置へ通知して、片面伝送モードで画情報を送信する制御工程を格納したコンピュータ読取可能な記憶媒体。
【請求項８】  両面に有効な画情報が含まれている原稿が少なくとも１枚存在する場合でも、相手の受信機が両面伝送モードを有していない場合、前記制御工程は、片面伝送を実行することを相手装置へ通知して片面伝送モードを用いて表面、裏面の順で有効な画情報を含む面のみ送信することを特徴とする請求項７に記載のファクシミリ装置の制御プログラムを格納したコンピュータ読取可能な記憶媒体。
【請求項９】  原稿表面の画像のみを読み取る強制表面読取モードを指定する操作工程を有し、該操作工程により前記強制表面読取モードが選択されている場合には、前記読取工程は、原稿の裏面を読み取ることなく原稿の表面のみ読み取り、前記制御工程は、片面伝送を実行することを相手装置へ通知して、読み取った画情報を、片面伝送モードを用いて片面伝送することを特徴とする請求項４に記載のファクシミリ装置の制御プログラムを格納したコンピュータ読取可能な記憶媒体。
【手続補正２】
【補正対象書類名】明細書
【補正対象項目名】００１１
【補正方法】変更
【補正の内容】
【００１１】
【課題を解決するための手段】
以上の課題を解決するために、本発明においては、両面原稿の画情報を読み取り送信するファクシミリ装置、その制御方法、およびその制御プログラムを格納したコンピュータ読取可能な記憶媒体において、
原稿の両面の画像を読み取り、読み取った原稿の両面の画情報を記憶し、読み取られた画情報の表面と裏面を対にして管理する管理情報を記憶し、読み取った原稿の両面に有効な画情報が含まれているか否かを判定し、その判定結果に応じて、少なくとも１枚、両面に有効な画情報が含まれている原稿が存在すると判定された場合は両面伝送モードを選択し、それ以外の場合は片面伝送モードを選択し、両面伝送モードが選択された場合、両面伝送モードを実行することを相手装置へ通知して、記憶された画像情報を前記管理情報とともに両面伝送モードで送信し、片面伝送モードが選択された場合、片面伝送モードを実行することを相手装置へ通知して、片面伝送モードで画情報を送信する制御を行なう構成を採用した。
【手続補正３】
【補正対象書類名】明細書
【補正対象項目名】００７４
【補正方法】変更
【補正の内容】
【００７４】
【発明の効果】
以上説明したように、本発明によれば、両面情報を読み取り送信するファクシミリ装置、その制御方法、およびその制御プログラムを格納したコンピュータ読取可能な記憶媒体において、原稿の両面の画像を読み取り、読み取った原稿の両面の画情報を記憶し、読み取られた画情報の表面と裏面を対にして管理する管理情報を記憶し、読み取った原稿の両面に有効な画情報が含まれているか否かを判定し、その判定結果に応じて、少なくとも１枚、両面に有効な画情報が含まれている原稿が存在すると判定された場合は両面伝送モードを選択し、それ以外の場合は片面伝送モードを選択し、両面伝送モードが選択された場合、両面伝送モードを実行することを相手装置へ通知して、記憶された画像情報を前記管理情報とともに両面伝送モードで送信し、片面伝送モードが選択された場合、片面伝送モードを実行することを相手装置へ通知して、片面伝送モードで画情報を送信する制御を行なう構成を採用しているので、ユーザは両面原稿であるか、片面原稿であるかを気にする必要がなく、面倒な両面／片面伝送モード設定を必要とせず、原稿をセットして送信操作を行なうだけで、確実に適切な両面伝送または片面伝送モードを自動的に選択して送信でき、送信の失敗を防止し、ユーザの意図した画像通信を適切に実行できる、という優れた効果がある。